(57)【要約】本発明は、データユニットのパケット交換伝送をサポートするネットワークにおいてパケットデータプロトコルコンテキストの起動を制御する方法、ネットワーク装置(2)、及び端末装置(1)に関するものである。プッシュサービスを制御するための情報を格納するデータベース(4')に、プッシュ情報要素であるHSSプッシュIEを追加する。このプッシュ情報要素のプッシュIEはサポートノード機能を有するネットワーク装置(2)に送信される。このプッシュ情報要素は評価されて、これにより、ネットワーク側からの要求によるコンテキスト起動手順が制御され、この結果、不必要なコンテキスト起動の回数を少なくする。
2004528783.tif 000002
【特許請求の範囲】
【請求項１】
データユニットのパケット交換伝送をサポートするネットワークにおいてパケットデータプロトコルコンテキストの起動を制御する方法であって、
(a)データベースプッシュ情報要素をデータベース(4、4')内に格納する段階と、
(b)ネットワーク装置(2)から前記データベース(4、4')にルーティング情報要求(S2)を送信する段階であって、そのルーティング情報は、該ネットワーク装置(2)により受信されたデータユニットを、前記ネットワークから端末装置(1)にルーティングするようになっている送信段階と、
(c)前記ネットワーク装置(2)により前記データベース(4、4')からルーティング情報応答(S3)を受信する段階と、
(d)前記データベースプッシュ情報要素(HSSプッシュIE)との関連で前記ルーティング情報応答を評価する段階であって、該データベースプッシュ情報要素(HSSプッシュIE)には、プッシュサービスを制御するための情報が含まれている評価段階と、
を有する方法。
【請求項２】
前記ネットワーク装置(2)は、前記ルーティング情報応答(S3)の前記の評価に基づいて、データユニット通知要求(S4'、S8)を該ネットワーク装置(2)から前記端末装置(1)又は該端末装置(1)にサービスするサービングサポートノード(3)に送信するかどうかを判定する請求項1記載の方法。
【請求項３】
前記データユニット通知要求(S8)を前記端末装置(1)に送信しないと前記ネットワーク装置(2)が判定した場合に、該ネットワーク装置(2)は、該端末装置(1)が前記のパケットデータプロトコルコンテキスト起動を拒否したもののごとくに動作する請求項2記載の方法。
【請求項４】
前記データベース(4、4')プッシュ情報要素(HSSプッシュIE)により、前記端末装置(1)に対するプッシュサービスが許容されていると前記ネットワーク装置(2)が判定した場合に、該ネットワーク装置(2)は、ネットワーク装置プッシュ情報要素(GGSNプッシュIE)を有するデータユニット通知要求(S8)を前記端末装置(1)又は前記サービングサポートノード(3)に送信する請求項2又は請求項3記載の方法。
【請求項５】
前記端末装置(1)は、前記データユニット通知要求(S8)又は前記サービングサポートノード(3)から該端末装置(1)に送信されるパケットデータプロトコルコンテキスト起動要求(S6')に含まれている前記ネットワーク装置プッシュ情報要素(GGSNプッシュIE)を使用し、PDPコンテキストを起動するかどうかを前記の情報要素に基づいて判定する請求項1〜4のいずれか一項記載の方法。
【請求項６】
前記データベースプッシュ情報要素(HSSプッシュIE)には、
(a)プッシュサービスが許可されているかどうか、及び/又は
(b)どのタイプのサービス品質の接続が許可されているか、
という情報が含まれている請求項1〜5のいずれか一項記載の方法。
【請求項７】
前記ネットワーク装置プッシュ情報要素(GGSNプッシュIE)には、前記データユニットから得られた情報が含まれており、具体的には、
(a)前記データユニットの発信元のインターネットプロトコルアドレス、及び
(b)前記データユニットの発信元のアプリケーション及び/又はポート番号、
が含まれている請求項4〜6のいずれか一項記載の方法。
【請求項８】
前記データベース(4、4')は、前記端末装置(1)がアクセス可能である場合にのみ、前記ルーティング情報応答内に含まれる前記データベースプッシュ情報要素(HSSプッシュIE)で前記ネットワーク装置(2)に応答する請求項1〜7のいずれか一項記載の方法。
【請求項９】
前記ネットワーク装置(2)は、一般パケット無線サービスサポートノードであり、具体的には、ゲートウェイ一般パケット無線サービスサポートノードである請求項1〜8のいずれか一項記載の方法。
【請求項１０】
前記ネットワークは、一般パケット無線サービスネットワークである請求項1〜9のいずれか一項記載の方法。
【請求項１１】
前記データユニットは、インターネットプロトコルパケットである請求項1〜10のいずれか一項記載の方法。
【請求項１２】
データユニットのパケット交換伝送をサポートするネットワークにおいてパケットデータプロトコルコンテキストの起動を制御するネットワーク装置であって、
(a)ルーティング情報要求を生成する生成手段(5)であって、そのルーティング情報は、前記ネットワーク装置により受信されたデータユニットを、前記ネットワークから端末装置(1)にルーティングするようになっている生成手段(5)と、
(b)前記ルーティング情報要求をそのルーティング情報を格納するデータベースに送信し、そのデータベース(4、4')からルーティング情報応答を受信する送受信機手段(6)と、
前記データベース(4、4')内に格納されているデータベースプッシュ情報要素(HSSプッシュIE)との関連で前記ルーティング情報応答を評価する評価手段(7)であって、前記データベースプッシュ情報要素には、プッシュサービスを制御するための情報が含まれている評価手段(7)と、
を備えるネットワーク装置。
【請求項１３】
前記ルーティング情報応答の前記の評価に基づいて、データユニット通知要求を前記端末装置(1)又は該端末装置(1)にサービスするサービングサポートノード(3)に送信するかどうかを判定する判定手段(8)を更に備える請求項12記載のネットワーク装置。
【請求項１４】
請求項1〜11のいずれか一項記載の方法を実行する手段を更に備える請求項12又は13記載のネットワーク装置。
【請求項１５】
データユニットのパケット交換伝送をサポートするネットワークにおいてパケットデータプロトコルコンテキストの起動を制御する端末であって、
(a)対応するメッセージを送信することにより、前記パケットデータプロトコルコンテキストを起動する要求を受信する送受信機手段(9)と、
(b)パケットデータプロトコルコンテキストを起動するかどうかを判定する判定手段(11)と、
(c)プッシュサービスを制御するプッシュ情報要素(プッシュIE)との関連で前記の要求を評価する評価手段(10)であって、その要素は該要求に含まれている評価手段(10)と、
を備え、
(d)前記判定手段(11)は、前記プッシュ情報要素(プッシュIE)に基づいて、パケットデータプロトコルコンテキストを起動するかどうかを判定するように設計されている端末装置。
【請求項１６】
請求項1〜11のいずれか一項記載の方法を実行する手段によって特徴付けられている請求項15記載の端末装置。
【発明の詳細な説明】
【技術分野】
【０００１】
本発明は、GPRSやUMTSネットワークなどのデータユニットのパケット交換伝送をサポートするネットワークにおいてパケットデータプロトコルコンテキストの起動を制御する方法、ネットワーク装置、及び端末装置に関するものである。
【背景技術】
【０００２】
通常のモバイル通信ネットワークにおいては、回線交換データ伝送とパケット交換データ伝送という2つのデータ伝送用の主要技術が使用されている。ネットワークホスト又はサービスプロバイダが、ネットワークを介してデータを伝送しようとする場合、回線交換の領域ではネットワークは、無線チャネルを移動局に割り当てることにより、データ伝送用の相互接続を確立する。そして、この相互接続が確立された後に、ネットワークを介してデータを伝送する。多くの場合、少量データの伝送を要するだけであるにも拘らず、この相互接続の継続時間を通じて、無線チャネルは終始移動局によって占有される。そして、加入者には、定期的に、この相互接続の継続時間の全体について課金されるのである。GSM(汎欧州移動通信システム)ネットワークにおいては、このタイプの回線交換データ伝送が使用されている。
【０００３】
一方、パケット交換の領域においては、ネットワークは、必要な場合にのみ、即ち、データ伝送を実行しなければならない場合にのみ、データパケットを伝送する。従って、同一の無線チャネルを複数の移動局が同時に使用することができる。移動局がデータパケットを生成すると、ネットワークは、空いている最初の無線チャネルを介して、そのパケットを受信者にルーティングする。従って、多くの場合、データ伝送はデータバーストから構成されており、無線チャネルを効率的に使用することが可能である。GPRS(一般パケット無線サービス)システムにおいては、このタイプのパケット交換データ伝送が使用されている。
【０００４】
しかしながら、このGPRSシステムは、既存のGSMシステムの追加サービスとして提供可能なものである。即ち、回線交換データ伝送とパケット交換データ伝送の両方をサポートするネットワークになるのである。
【０００５】
最近のパケットデータ移動局は、インターネットとイントラネットにアクセスできるようになっている。従って、GPRSデータ伝送では、特にインターネットプロトコル(IP)を使用している。移動局がGPRSシステムに接続され、PDP(パケットデータプロトコル)コンテキスト(context)が起動されると、端末機器は、移動局を介してデータパケットをアップリンクに送信可能となる。この反対に、ホストも、ダウンリンクを使用してデータパケットを端末機器に送信することができる。これらのデータパケットは、GGSN(ゲートウェイGPRSサポートノード)とSGSN(サービングGPRSサポートノード)によって正しいアドレスにルーティングされる。
【０００６】
しかしながら、移動局は、データパケットを送信する前に、GPRSに接続し、且つPDPコンテキストを起動しなければならない。GPRSに接続することにより、移動局が利用可能であることがネットワークに対して通知される。この接続は、移動局とSGSNによって行われる。
【０００７】
更に、GPRSに接続した後に、移動局は、PDPコンテキストを起動する。このPDPコンテキストの起動により、対応するGGSNが当該移動局を認識することになる。この結果、GGSNを介した外部ネットワークへのデータ伝送が可能になるのである。
【０００８】
このようなPDPコンテキスト起動は、ネットワーク及び移動局のいずれかによって要求することができる。GPRSシステム及びUMTS(ユニバーサル移動通信システム)では、対応する移動局にPDPコンテキストが起動されていないアドレス向けのデータパケットをGGSNが受信した場合に、ETSI(欧州電気通信標準化協会)発行の技術仕様書「ETSI TS 123 060、V3.2.1(2000-01)」に記述されているように、ネットワーク側からの要求によるPDPコンテキストの起動が使用される。GGSNがPDU(プロトコルデータユニット)通知要求を移動局に対して送信し、この要求に含まれている情報に基づいて、対象のPDPコンテキストを起動するかどうかを移動局が判定するのである。
【発明の開示】
【発明が解決しようとする課題】
【０００９】
しかしながら、このコンテキスト起動は、移動局の観点から見て望ましくないことが非常に多い。この場合には、移動局は、PDPコンテキスト起動を拒否するか、或いは即座に無効にすることになる。しかしながら、このことは不必要な大量のPDPコンテキスト起動が発生するため、有益でない。
【００１０】
従って、コンテキスト起動の回数を削減することが本発明の目的である。
【課題を解決するための手段】
【００１１】
この目的は、データベースプッシュ情報要素をデータベース内に格納する段階と、ネットワーク装置からデータベースにルーティング情報要求を送信する段階であって、このルーティング情報は、ネットワーク装置が受信するデータユニットを、ネットワークから端末装置にルーティングするようになっている送信段階と、ネットワーク装置がデータベースからルーティング情報応答を受信する段階と、データベースプッシュ情報要素との関連でルーティング情報応答を評価する段階であって、そのデータベースプッシュ情報要素には、プッシュサービスを制御するための情報が含まれている評価段階と、を有するデータユニットのパケット交換伝送をサポートするネットワークにおいてパケットデータプロトコルコンテキストの起動を制御する方法により、実現される。
【００１２】
更に、前述の目的は、ルーティング情報要求を生成する生成手段であって、そのルーティング情報は、ネットワーク装置が受信するデータユニットを、ネットワークから端末装置にルーティングするようになっている生成手段と、ルーティング情報を格納するデータベースに対してルーティング情報要求を送信し、データベースからルーティング情報応答を受信する送受信機手段と、データベース内に格納されているデータベースプッシュ情報要素との関連でルーティング情報応答を評価する評価手段であって、そのデータベースプッシュ情報要素には、プッシュサービスを制御するための情報が含まれている評価手段と、を備えるデータユニットのパケット交換伝送をサポートするネットワークにおいてパケットデータプロトコルコンテキストの起動を制御するネットワーク装置により、実現される。
【００１３】
更に、前述の目的は、対応するメッセージを送信することにより、パケットデータプロトコルコンテキストを起動するための要求を受信する送受信機手段と、パケットデータプロトコルコンテキストを起動するかどうかを判定する判定手段と、プッシュサービスを制御するためのプッシュ情報要素との関連で要求を評価する評価手段と、を備え、情報要素は、要求の中に含まれており、判定手段は、プッシュ情報要素に基づいてパケットデータプロトコルコンテキストを起動するかどうかを判定するように設計されているデータユニットのパケット交換伝送をサポートするネットワークにおいてパケットデータプロトコルコンテキストの起動を制御する端末装置により、実現される。
【００１４】
本発明の中心となる考え方は、所謂プッシュ(push)サービスに関する追加情報、即ち、前述のプッシュ情報要素を提供しようというものである。プッシュサービスは、例えば、GGSNなどのGPRSサポートノード(GSN)や、WAP(無線アプリケーションプロトコル)ゲートウェイのようなその他のゲートウェイから端末装置やWAP端末などのモバイル端末への能動的な情報配信などの、端末装置のユーザによるものではなく、ネットワークの側から開始されるサービスであると規定される。この追加情報により、コンテキスト起動の確立に関して、スクリーニングプロセスを実行できるようになる。この結果、不必要なPDPコンテキスト起動を削減することができる。この削減により、ネットワークリソースが節約され、結果的に費用が節減される。
【００１５】
ネットワーク装置は、ルーティング情報応答の評価結果に基づいたスクリーニングプロセスの第1フェーズ(phase)において、ネットワーク装置から端末装置又は端末装置にサービスするサービングサポートノードに対し、データユニット通知要求を送信するかどうかを判定することが好ましい。このフェーズにおいて、PDPコンテキスト起動の回数が第1の量だけ削減される。
【００１６】
端末装置は、スクリーニングプロセスの第2フェーズにおいて、データユニット通知要求又はサービングサポートノードから端末装置に送信されるパケットデータ制御コンテキスト起動要求に含まれているネットワーク装置プッシュ情報要素を使用し、PDPコンテキストを起動するかどうかを判定することが好ましい。この結果、PDPコンテキスト起動の回数が第2の量だけ削減される。
【００１７】
有益な拡張は、従属請求項に規定されている。
本明細書においては、以下の添付図面を参照し、好適な実施例に基づいて本発明について詳細に説明している。
【発明を実施するための最良の形態】
【００１８】
図1は、パケット交換接続端末装置がGPRSシステムにおいて使用される移動局(MS)1として実施されるネットワーク側からの要求によるPDPコンテキスト起動手順を示している。このMS1は、モバイル端末と端末機器から構成されている。これらモバイル端末及び端末機器は、それぞれ別個の装置として実施することも可能であり、単一の装置に統合することもできる。
【００１９】
更に、GPRSシステムの一部として、ネットワーク装置が提供されており、このネットワーク装置は、サポートノード(SN)、即ち、GPRSサポートノード(GSN)として実施されており、具体的には、GGSN2として実施されている。このGGSNは、PDPアドレスを評価することにより、パケットデータネットワークがアクセスするノードである。これには、接続されるGPRSユーザのルーティング情報が入っている。このルーティング情報を使用し、MSの現在の接続ポイント、即ち、SGSN3へN-PDUをトンネリングする。GGSN2は、データベース、即ち、ホーム位置レジスタ(HLR)4から位置情報を要求することができる。GGSN2は、GPRSをサポートする公衆陸上移動ネットワーク(GSM PLMN)とパケットデータネットワーク(PDN)の相互接続における第1ポイントである。
【００２０】
SGSN3は、MS1に対してサービスするノードである。このSGSN3は、GPRS及び/又はUMTSをサポートしている。GPRSに接続する際に、SGSN3は、例えば、MS1の移動性とセキュリティに関連する情報を含む移動性管理コンテキストを確立する。そして、PDPコンテキストを起動する際に、SGSN3は、その加入者が使用することになるGGSN2とともに、ルーティングのために使用されるPDPコンテキストを確立する。
【００２１】
これらSGSN3及びGGSN2の機能は、同一の物理ノードに統合することも可能であり、別個の物理ノードに配置することもできる。SGSN3及びGGSN2には、IPやその他のルーティング機能が含まれており、これらは、IPルータによって相互接続することができる。SGSN3とGGSN2が異なるPLMNに存在する場合には、それらは、適切なインターフェイス、即ち、所謂Gpインターフェイスを介して相互接続される。
【００２２】
HLR4には、MS1が位置している移動交換局(MSC)への呼の課金とルーティングを可能にするデータやルーティング及び位置情報などのUMTS及びGPRS(パケット領域)の加入者情報が入っている。従って、HLR4は、ホームネットワークにおいてモバイル加入者が割り当てられると共に加入者情報の格納に使用するネットワーク機能を実施する。
【００２３】
次に、図1に示されているネットワーク側からの要求によるPDPコンテキスト起動手順について説明する。
【００２４】
このネットワーク側からの要求によるPDPコンテキスト起動手順により、GGSN2は、PDPコンテキストの起動を開始することができる。まず、GGSN2は、PDP PDUを受信すると、そのPDPアドレスに対してPDPコンテキストが確立されているかどうかをチェックする。そして、まだPDPコンテキストが確立されていない場合には、GGSN2は、このネットワーク側からの要求によるPDPコンテキスト起動手順を開始することにより、PDP PDUを供給するべく試みる。PDP PDUのMS1への配信を試みるかどうかを決定するためにGGSN2が使用する基準は、加入情報に基づいている。
【００２５】
ネットワーク側からの要求によるPDPコンテキスト起動をサポートするには、GGSN2はPDPアドレスに関する静的PDP情報を必要とする。対象のPDPアドレスについてネットワーク側からの要求によるPDPコンテキスト起動がサポートされるかどうかを決定するために、GGSN2は、そのPDPアドレスに対する静的PDP情報が存在するかどうかをチェックする。そして、このチェックを実行した後に、GGSNは、ネットワーク側からの要求によるPDPコンテキスト起動手順を開始する。
【００２６】
段階S1において、GGSN2は、PDP PDUを受信する。次いで、GGSN2は、ネットワーク側からの要求によるPDPコンテキスト起動手順を開始すべきかどうかを決定する。GGSN2には、同一のPDPアドレスについて受信される後続のPDP PDUを格納する機能が具備されている。
【００２７】
段階S2において、GGSN2は、コンテキスト起動手順の開始を決定した後に、GPRSのルーティング情報、即ち、MS1の国際移動加入者識別子(IMSI)要求メッセージを送信する。
【００２８】
段階S3において、S2によるこの要求に対してサービス可能であるとHLR4が決定した場合には、HLR4は、GPRSのルーティング情報応答メッセージを返す。この応答メッセージはGGSN2に送付される。これには、IMSI、SGSNアドレス、及び「移動局へのアクセス不可理由(mobile-station-not-reachable-reason)」パラメータが含まれていることが好ましい。この「移動局へのアクセス不可理由」パラメータは、HLR4にMNRG(GPRSによる移動局へのアクセスは不可(Mobile Station Not Reachable for GPRS))フラグが設定されている場合に、応答メッセージに含まれることになる。この「移動局へのアクセス不可理由」パラメータは、MNRR(移動局へのアクセス不可理由(Mobile Station Not Reachable Reason))レコードに格納されているMNRGフラグの設定に対する理由を示している。MNRRレコードに「呼び出しに対する応答なし(No Paging Response)」以外の理由が示されている場合には、HLR4は、その加入者のGGSNリストにGGSN番号を入れる。
【００２９】
一方、段階S2による要求に対してサービスできないとHLR4が決定した場合には、例えば、HLR4において、IMSIが不明である場合、HLR4は、IMSI及びMAP(移動アプリケーション部(Mobile Application Part))エラーの原因を含むGPRSのルーティング情報応答メッセージを送信する。このMAPエラーの原因は、否定的な応答の理由を示している。
【００３０】
SGSNアドレスが存在すると共に、「移動局へのアクセス不可理由」が存在していないか、或いは「移動局へのアクセス不可理由」が「呼び出しに対する応答なし」を示す場合には、GGSN2は、HLR4が示したSGSN3に対してPDU通知要求メッセージを送信する。このPDU通知要求には、IMSI、PDPタイプ、PDPアドレス、及びアクセスポイント名(APN)が含まれている。一方、前述の条件が満たされない場合には、GGSN2は、そのMS1に対してMNRGフラグを設定する。段階S5により、SGSN3は、PDPアドレスが示しているPDPコンテキストを起動するようにMS1に要求することを承認するために、PDU通知応答メッセージをGGSN2に返す。
【００３１】
段階S6により、SGSN3は、PDPコンテキスト起動要求メッセージを送信し、指示したPDPコンテキストを起動するようにMS1に対して要求する。このPDPコンテキスト起動メッセージには、PDPタイプ、PDPアドレス、及びAPNが含まれている。
【００３２】
段階S7に示されているように、最終的なPDPコンテキスト起動手順により、PDPコンテキストが最終的に起動される。
【００３３】
図2は、本発明の第1実施例によるネットワーク側からの要求によるPDPコンテキスト起動手順を示している。特に、モバイル端末のユーザの側からではなく、ネットワーク側からプッシュ(push)サービスを開始しようとする場合、この種のサービスは、移動局のユーザの観点から見て望ましくないために結果的に遮断されたり、或いは、例えば、料金が未払いのためにサービスが無効になっている場合などには、この種のサービスは、ネットワーク側の観点から見ても許容できないものである。
【００３４】
このような場合に、サーバ/ホストがPDPコンテキストを起動しようとしても、この種のPDPコンテキスト起動は確立されないようになっている。従って、本発明の好適な実施例によれば、図1を参照して説明した手順に対し、2つのフェーズのスクリーニングプロセスが追加されている。
【００３５】
図2において、構成要素のMS1、GGSN2、及びSGSN3は、図1のものと同一である。しかし、HLR4は、HSS(ホーム加入者サーバ)プッシュIE(情報要素(information element))をHLR又は個々のHSSに追加することにより、変更される。HSSは、HLRと同一の機能を有しているが、IPネットワークとしてのUMTSコアネットワークにおけるものである。この変更は、図2においては、ブロック4をブロック4'と改名することによって示されている。
【００３６】
HSSプッシュIEには、例えば、「SIP(セッション開始プロトコル(Session Initiation Protocol))プッシュは許可されていない」や「ベストエフォート型のQoS(サービス品質(Quality of Service))接続のみが許容されている」などのある特定の加入者のプッシュサービスに関する情報が含まれている。しかしながら、このHSSプッシュIEには、端末能力などに関する情報は含まれていない。SIPとは、例えば、GPRSなどのパケット交換環境においてマルチメディアセッション又は呼を確立するのに使用するアプリケーションレベルのプロトコルである。
【００３７】
フェーズ1により、GGSN2が、段階S1に示されているように、IPパケットなどのPDP PDUを受信した後に、PDPコンテキストが存在していない場合、段階S2に示されているように、GPRS(即ち、MS1)のルーティング情報を要求すると、HLR/HSS4'は、段階S3において、ルーティング情報メッセージでHSSプッシュIEを返す(但し、これは、MS1がアクセス可能な場合のみである)。
【００３８】
HLR/HSS4'から受信した情報に基づき、GGSN2は、あるタイプのメッセージに対して、MS1にPDU通知要求を一切送信しないものと判定する。この結果、GGSN2は、MS1がPDPコンテキスト起動を拒否したかのように動作する。
【００３９】
従って、このようなネットワーク側からの要求によるPDPコンテキスト起動手順は、段階S3の後に終了することになり、大量のデータトラフィックが回避され、この結果、その他の目的に使用できるよう、ネットワークリソースが空き状態に維持される。
【００４０】
しかしながら、HSSプッシュIEの観点から見て、そのメッセージタイプが受け入れ可能な場合には、フェーズ2に進む。そして、段階S4'により、新しいパラメータ、即ち、GGSNプッシュIEを含むPDU通知要求がGGSN2からSGSN3に対して送信される。このGGSNプッシュIEには、受信したPDP PDU(段階S1)から生成された情報、即ち、「発信元IPアドレス」や「アプリケーション/ポート番号」のようなIPパケットが含まれている。
【００４１】
SGSN3は、この拡張情報、即ち、GGSNプッシュIEを使用し、段階S5'においてPDU通知応答をGGSN2に送信するかどうかを判定するが、この応答を送信する場合には、その応答は、GGSNプッシュIEに対応する情報によって変更可能である。さらに、SGSN3は、段階S6'において、GGSNプッシュIEによる追加情報を含むPDPコンテキスト起動要求を送信する。このようにして、MS1は、この追加情報を使用し、PDPコンテキストを起動するかどうかを判定することができる。
【００４２】
結論として、HLR/HSS4'に格納されているHSSプッシュIEにより、GGSN2、SGSN3、及び/又はMS1は、プッシュIEの追加情報に基づいて、PDPコンテキストを起動するかどうかを判定することができる。しかしながら、GGSN2がPDPコンテキストを起動すべきでないと決定した場合には、段階S4'、S5'、S6'、及びS7'によるすべてのデータトラフィックが回避される。しかし、GGSN2が、コンテキスト起動を継続することを決定した場合、少なくとも、MS1は、段階S6'の期間にSGSN3からMS1に送信されるプッシュIEの追加情報に基づいて、段階S7'による最終的なPDPコンテキスト起動手順によって最終的にPDPコンテキストを起動するかどうかを判定することができる。従って、PDPコンテキストを起動するかどうかの最終的な判定は、MS1に委ねられる。
【００４３】
図3は、本発明の更なる実施例を示している。MS1、GGSN2、SGSN3、及びHLR/HSS4'は、図2のものと同一である。さらに、段階S1、S2、及びS3も、図2のものと同一である。しかしながら、図3においては、GGSNプッシュIEを含むPDU通知要求は、SGSN3には送信されず、段階S8に示されているように、MS1に対して直接送信されている。従って、MS1は、GGSNプッシュIEを直接使用し、PDPコンテキストを起動するかどうかを判定する。そして、PDPコンテキストを起動することをMS1が決定した場合には、段階S9による最終的なPDPコンテキスト起動手順が実行される。
【００４４】
図4は、PDPコンテキストの起動を制御するGGSN2及び/又はSGSN3などのサポートノードの機能を実施するネットワーク装置の概略ブロック図を示している。このネットワーク装置は、HLR4へのルーティング情報要求を生成するプログラム可能なマイクロコントローラ、集積回路、又は機能などの生成ユニット5を備えている。この生成ユニット5は、生成したルーティング情報要求をHLR/HSS4'に送信する送受信機6と接続されている。HLR/HSS4'からネットワーク装置に送信されたルーティング情報応答は、送受信機6によって受信され、この送受信機6に接続されているプログラム可能なマイクロコントローラ、集積回路、又は機能などの評価ユニット7によって評価される。この評価ユニット7は、ルーティン情報応答内にあると思われるHSSプッシュIEとの関連で、送受信機6が受信したルーティング情報応答を評価するように設計されている。例えばマイクロプロセッサである判定ユニット8は、加入者のためのプッシュサービスに関するHSSプッシュIE情報に従い、評価ユニット7の評価結果に基づいて、PDU通知要求をMS1又はMS1にサービスするSGSN3に送信するかどうかを判定する。このマイクロプロセッサ8は、生成ユニット5、送受信機6、及び評価ユニット7の動作を調整するために、これらのユニット/装置に接続される。
【００４５】
図5は、端末装置、例えば、PDPコンテキストの起動を制御する機能を具備するMS1の概略ブロックダイアグラムを示している。この端末装置は、PDPコンテキスト起動要求を受信する送受信機9を備えている。送受信機9は、受信したPDPコンテキスト起動要求をGGSNプッシュIEとの関係で評価するように設計されているプログラム可能なマイクロコントローラ、集積回路、又は機能などの評価ユニット10と接続されている。このGGSNプッシュIEは、PDPコンテキスト起動要求から抽出され、評価ユニット10に接続されているプログラム可能なマイクロコントローラ、集積回路、又は機能などの判定ユニット11に送付される。判定ユニット11は、受信したプッシュIEに基づいて、PDPコンテキストを起動するかどうかを判定するようにプログラムされている。判定結果が肯定的なものであった場合には、即ち、PDPコンテキスト起動を実行する場合には、対応するメッセージが、判定ユニット11と送受信機9間の接続を介し、送受信機9へ、そして次にGGSN2に送信される。送受信機9、評価ユニット10、及び判定ユニット11は、これらのユニット/装置間の動作を調整するマイクロプロセッサ12に接続されている。
【００４６】
本発明によれば、追加情報をHLR/HSSデータベースに供給することにより、パケット交換ネットワーク並びにGSMネットワーク内に統合されたGPRSシステムなどのパケット交換及び回線交換が混在するネットワークにおいて、不必要なPDPコンテキスト起動を少なくすることができる。発信元IPアドレス/ポート番号などの追加情報をMSに送信すれば、例えば、そのIPパケット、即ち、PDP PDUのポート番号と関連付けられているアプリケーションが存在しない場合に、MSは、そのコンテキストを即座に拒否できるようになり、有益である。この結果、本発明により、その他の目的に使用できるよう、ネットワークリソースが空き状態に維持されることになる。
【００４７】
本発明は、上述のあらかじめ決められた実施例に限定されるものではないことに留意されたい。具体的には、ネットワーク装置プッシュ情報要素を生成するネットワーク装置は、例えば、WAPゲートウェイなどのプッシュプロキシサーバなど、どのような装置であってもよい。更には、プッシュ情報要素の供給においては、任意のデータベースを使用可能であると共に、プッシュ制御サービスは、任意のコンテキスト起動手順で提供可能である。従って、好適な実施例は、添付の特許請求の範囲内で様々に変化し得るものである。
【図面の簡単な説明】
【００４８】
【図１】図1は、従来技術によるネットワーク側からの要求によるPDPコンテキスト起動手順を示す図である。
【図２】図2は、本発明の第1実施例によるネットワーク側からの要求によるPDPコンテキスト起動手順を示す図である。
【図３】図3は、本発明の第2実施例によるネットワーク側からの要求によるPDPコンテキスト起動手順を示す図である。
【図４】図4は、本発明の好適実施例によるネットワーク装置の概略ブロック図を示す図である。
【図５】図5は、本発明の好適実施例による端末装置の概略ブロック図を示す図である。
【図１】
2004528783.tif 000003
【図２】
2004528783.tif 000004
【図３】
2004528783.tif 000005
【図４】
2004528783.tif 000006
【図５】
2004528783.tif 000007
【国際公開パンフレット】
2004528783.tif 000008
2004528783.tif 000009
2004528783.tif 000010
2004528783.tif 000011
2004528783.tif 000012
2004528783.tif 000013
2004528783.tif 000014
2004528783.tif 000015
2004528783.tif 000016
2004528783.tif 000017
2004528783.tif 000018
2004528783.tif 000019
2004528783.tif 000020
2004528783.tif 000021
2004528783.tif 000022
2004528783.tif 000023
2004528783.tif 000024
2004528783.tif 000025
2004528783.tif 000026
2004528783.tif 000027
2004528783.tif 000028
2004528783.tif 000029
【国際調査報告】
2004528783.tif 000030
2004528783.tif 000031